(57)【特許請求の範囲】
【請求項１】
格子（５０）を支持体（４０）に固定するための保持素子であって、
Ｕ字状に構成し、連結ウェブ（１３）から突出する第１脚部（１１）と第２脚部（１２）とを有する該格子固定用保持素子において、
前記第１脚部（１１）に、
ねじ手段（３０）を貫通させるための貫通口（１５）と、
前記連結ウェブ（１３）とは離れた第２領域（１８）において、側方に張り出す平面部分（１６）と、
を設け、
前記第２脚部（１２）に、
ねじ手段（３０）の雄ねじ部（３１）にねじ掛合する雌ねじ部（２４）と、
保持素子を支持体（４０）に固定するための、前記第１脚部（１１）の方向に指向する固定保持手段（２６）と、
を設けたことを特徴とする格子固定用保持素子。
【請求項２】
前記第２脚部（１２）を、雌ねじ部（２４）と連結ウェブ（１３）への移行部に形成された屈曲ヒンジ部（２２）との間に延在する短レバーアーム（２３）と、および屈曲ヒンジ部（２２）と固定保持手段（２６）との間に延在する長レバーアーム（２８）とにより構成したことを特徴とする請求項１に記載の格子固定用保持素子。
【請求項３】
前記長レバーアーム（２８）を、前記短レバーアーム（２３）と比較して１．５〜５倍長くしたことを特徴とする請求項２に記載の格子固定用保持素子。
【請求項４】
前記貫通口（１５）を、凹部（１４）に設けたことを特徴とする請求項１〜３のうちいずれか一項に記載の格子固定用保持素子。
【請求項５】
前記第１脚部（１１）を、前記第２脚部（１２）よりも長くしたことを特徴とする請求項１〜４のうちいずれか一項に記載の格子固定用保持素子。
【発明の詳細な説明】
【技術分野】
【０００１】
本発明は、請求項１前段に記載の格子のための固定保持素子に関する。
【背景技術】
【０００２】
特許文献１に格子固定のための保持素子が記載されており、この保持素子では、鉤状の第１端部が支持体を把持する一方、その鉤状の第１端部とは逆側の第２端部に、ねじのための嵌込箇所が配置される。ねじによって固定保持素子が皿状の素子に連結され、この素子は格子に載置される。格子は固定保持素子の締め付けによって支持体に固定される。
【０００３】
この場合の欠点は、保持素子を使用するには、必ず皿状素子がスラスト軸受として必要であるということである。
【０００４】
特許文献２には、金属格子のためのＵ字状の押さえ保持素子が記載されており、この固定保持素子では、２個の対置された脚部が連結ウェブから突出している。連結ウェブとは離れた第２脚部の端部を、第１脚部の方向に折り曲げ、他方で、連結ウェブとは離れた第１脚部の端部を、第２脚部に向けて折り曲げる。押さえ保持素子を取り付けるための支点を作るために、押さえ保持素子において、第２脚部に対向する少なくとも１個の突起部を第１脚部の湾曲した端部の付近に配置する。この突起部は、押さえ保持素子を取り付ける際に、金属格子のセルのうち１個が有する横支柱の端縁に嵌合する。
【０００５】
このような押さえ保持素子の欠点は、押さえ保持素子が、格子から外れ易いので、格子が容易に意図せざる側から操作可能であり、場合によっては、再度支持体または下地から外れてしまう。
【０００６】
【特許文献１】米国特許第５１１８１４７号明細書
【特許文献２】欧州特許第０９２３６７５号明細書
【発明の開示】
【発明が解決しようとする課題】
【０００７】
本発明の課題は、前記のような欠点を回避し、簡単に取り付け可能であるとともに、高い保持力を有する格子固定用保持素子を提供することにある。
【課題を解決するための手段】
【０００８】
この課題は、本発明における請求項１に記載の対策によって解決される。すなわち、第１脚部に、ねじ手段を貫通させるための貫通口と、第１脚部の連結ウェブとは離れた第２領域において、側方に張り出す平面部分とを、設ける。他方で、第２脚部に、ねじ手段の雄ねじ部のための雌ねじ部と、保持素子を支持体に固定するための、前記第１脚部の方向に指向する固定保持手段とを、設ける。
【発明の効果】
【０００９】
これによって、格子を保持素子およびねじ手段によって確実かつ簡単な手法で支持体に固定することができ、その際、１個または複数個の固定保持手段が支持体を把持する。付加的な部材、例えば皿状の素子は不要になる。
【発明を実施するための最良の形態】
【００１０】
第１脚部を、雌ねじ部と連結ウェブへの移行部に形成された屈曲ヒンジ部との間に延在する短レバーアームと、および屈曲ヒンジ部と固定保持手段との間に延在する長レバーアームとにより構成すると好適である。このようにすると、てこ比によって、ねじ手段を締める際、固定保持手段が存在する長レバーアームの端部が、雌ねじ部が存在する領域と比較してより早く第１脚部の方向に移動する。
【００１１】
長レバーアームを、短レバーアームと比較して１．５〜５倍長くすることによって、適切に調整された伝達比になる。
【００１２】
貫通口を凹部に設けると好適である。これによって、ねじヘッドを格子の表面に対して直交させることができる。貫通口を長孔として構成するとさらに好適であり、これによってねじ手段に大きな遊びを許容することができる。
【００１３】
第１脚部を第２脚部よりも長くし、従って、第２脚部の端部よりも突出するようにすると好適であり、これにより、保持素子が単独で支持体および格子と相互に支え合い、ずれたり滑り落ちたりすることなくこの場に引っ掛かり固定される。
【００１４】
本発明は、上述したように、第１脚部の連結ウェブとは離れる側の第２領域に、側方に張り出す平面部分を設けるものである。このような平面部分により、第１脚部を少なくとも１個の縦支柱にも載置および支持させることができ、これによって、グリッド固定性が顕著に向上する。
【００１５】
本発明のさらなる長所および対策を、従属請求項、以下の説明および図面に示す。図面には、本発明の実施例を記載する。
【実施例】
【００１６】
図１〜３は、本発明による実施例として、格子または格子蓋５０を下部構造の支持体４０に固定するための保持素子を示す。この保持素子１０はＵ字状に形成し、第１脚部１１および第２脚部１３を有し、この双方の脚部を、連結ウェブ１３から同一の側方に突出させる。連結ウェブ１３から第２脚部１２への移行部は、屈曲ヒンジ２２として機能する。第１脚部１１には、連結ウェブ１３に隣接する第１領域１７において、ねじ手段３０のための貫通口１５を有する凹部１４を設ける。さらに、第１脚部１１の連結ウェブ１３とは離れた第２領域１８に、側方に張り出す平面部分１６を設ける。これらの領域それぞれは、第１脚部１１のおよそ半分の長さにわたり延在する。
【００１７】
第２脚部１２には、第１脚部１１の貫通口１５に対向して、雌ねじ部２４を有する孔２５を設け、雄ねじ部３１を有するねじ手段３０を、このねじ孔２５にねじ掛合する。さらに、第２脚部１２の連結ウェブ１３とは離れる端部領域２７に、第１脚部１１の方向に指向するツメとして構成した固定保持手段２６を設ける。
【００１８】
第１脚部１１は、第２脚部１２よりも長く、かつ連結ウェブ１３よりも長いものとする。
【００１９】
このような保持素子１０の取付け時には、まずその第２脚部１２および連結ウェブ１３を、格子５０における２個の横支柱５１（一方は図示しない）の間に存在する開口を経て回し込み、固定保持手段２６を有する第２脚部１２の端部領域２７を、支持体４０の下方に位置決めする。続いて、ねじ手段３０を貫通口１５に差込み、その雄ねじ部３１をねじ孔２５の雌ねじ部２４にねじ込む。屈曲ヒンジ部２２から固定保持手段２６までの長レバーアーム２８と、連結ウェブ１３からねじ孔２５までの短レバーアーム２３との間における第２脚部１２のてこ比が１．５：１〜５：１であるので、長レバーアーム２８の端部は、ねじ手段３０を締め込む際、雌ねじ部２４が存在する領域と比較してより早く、すなわち、変位が増幅され第１脚部１１の方向に移動する。これによって、ねじ手段３０を少し回すだけで、固定保持手段２６を支持体４０に圧着させることができる。
【００２０】
図２および３において、取り付け状態の第１脚部１１は格子５０の横支柱５１上に載置し、第１脚部１１はこの横支柱５１に対しほぼ直交する。さらに、平面部分１６は、第１脚部１１の第２領域１８から側方に張り出しているので、グリッド５０の縦支柱５２の上にも載置する。従って、第１脚部１１は、格子５０に極めて安定的に保持される。第２脚部１２は、すでに説明したように、その端部領域２８に設けた固定保持手段２６が支持体４０の下面を把持するので、この位置でツメ掛け固定される。
【００２１】
保持素子１０を補強するために、第１脚部１１および第２脚部１２に、例えば条溝（リブ）として構成された補強素子１９，２９を設ける。
【図面の簡単な説明】
【００２２】
【図１】本発明保持素子の斜視図である。
【図２】格子および支持体に固定した状態の保持素子を上方から見た説明図である。
【図３】格子および支持体に固定した状態の保持素子を、図２の平面III-IIIに沿って切断した縦断面図である。
【符号の説明】
【００２３】
１０  保持素子
１１  第１脚部
１２  第２脚部
１３  連結ウェブ
１４  凹部
１５  貫通口
１６  平面部分
１７  第１領域
１８  第２領域
１９，２９  補強素子
２２  屈曲ヒンジ部
２３  短レバーアーム
２４  雌ねじ部
２５  ねじ孔
２６  固定保持手段
２７  端部領域
２８  長レバーアーム
３０  ねじ手段
３１  雄ねじ部
４０  支持体
５０  格子
５１  横支柱
５２  縦支柱
【図１】
0005259942.tif 000002
【図２】
0005259942.tif 000003
【図３】
0005259942.tif 000004